(57)【要約】【課題】  移動通信網のリソースを活用し、通信品質を良好に保つことを可能とする。【解決手段】  移動通信網からの受信信号のＳＩＲを測定するとともに、ＳＩＲと目標ＳＩＲとの比較の結果に応じて、移動通信網の送信電力を制御する送信電力制御コマンドを移動通信網に通知するインナーループ制御部１３と、ＢＬＥＲを測定するとともに、ＢＬＥＲと目標ＢＬＥＲとの比較の結果に応じて、目標ＳＩＲを設定するアウターループ制御部１４と、所定の条件に基づき、目標ＢＬＥＲの変更を要求する変更要求メッセージを移動通信網に通知し、移動通信網によって目標ＢＬＥＲの変更を許可された場合に目標ＢＬＥＲを変更する目標ＢＬＥＲ変更部１７とを備える。【選択図】  図３
2008048175.tif 000002
【特許請求の範囲】
【請求項１】
移動通信網からの受信信号の品質である第１受信品質を測定するとともに、前記第１受信品質と、前記第１受信品質の目標値である第１目標品質との比較の結果に応じて、前記受信信号の送信電力を制御する送信電力制御コマンドを前記移動通信網に通知するインナーループ制御部と、
前記第１受信品質よりも長い期間における前記受信信号の品質である第２受信品質を測定するとともに、前記第２受信品質と、前記移動通信網によってあらかじめ指定される目標値である第２目標品質との比較の結果に応じて、前記第１目標品質を設定するアウターループ制御部と、
所定の条件に基づき、前記第２目標品質の変更を要求する変更要求メッセージを前記移動通信網に通知し、前記移動通信網によって前記第２目標品質の変更を許可された場合に、前記第２目標品質を変更する目標品質変更部と
を備えることを特徴とする移動通信端末。
【請求項２】
前記受信信号に基づき、自端末の通信環境を検出する通信環境検出部を更に備え、
前記目標品質変更部は、前記通信環境の劣化を検出した場合に、前記第２目標品質の変更を前記移動通信網に要求することを特徴とする請求項１に記載の移動通信端末。
【請求項３】
前記目標品質変更部は、ユーザ入力に応じて、前記第２目標品質の変更を前記移動通信網に要求することを特徴とする請求項１に記載の移動通信端末。
【請求項４】
移動通信網及び移動通信端末を有する移動通信システムであって、
前記移動通信端末は、
前記移動通信網からの受信信号の品質である第１受信品質を測定するとともに、前記第１受信品質と、前記第１受信品質の目標値である第１目標品質との比較の結果に応じて、前記受信信号の送信電力を制御する送信電力制御コマンドを前記移動通信網に通知するインナーループ制御部と、
前記第１受信品質よりも長い期間における前記受信信号の品質である第２受信品質を測定するとともに、前記第２受信品質と、前記移動通信網によってあらかじめ指定される目標値である第２目標品質との比較の結果に応じて、前記第１目標品質を設定するアウターループ制御部と、
所定の条件に基づき、前記第２目標品質の変更を要求する変更要求メッセージを前記移動通信網に通知し、前記移動通信網によって前記第２目標品質の変更を許可された場合に、前記第２目標品質を変更する目標品質変更部とを備え、
前記移動通信網は、前記移動通信端末から前記変更要求メッセージを受信した場合に、所定の基準に基づき、前記第２目標品質の変更を許可するか否かを判定することを特徴とする移動通信システム。
【請求項５】
前記移動通信網は、前記移動通信端末から前記変更要求メッセージを受信した場合に、前記移動通信端末の在圏するエリアにおけるトラフィック量に基づき、前記第２目標品質の変更を許可するか否かを判定することを特徴とする請求項４に記載の移動通信システム。
【発明の詳細な説明】
【技術分野】
【０００１】
本発明は、符号分割多重通信方式（ＣＤＭＡ）方式を用いた移動通信技術に関し、特に下りリンクの送信電力を制御する移動通信端末及び移動通信システムに関する。
【背景技術】
【０００２】
ＣＤＭＡ方式における下りリンクの送信電力制御は、基地局の送信電力を抑制しながら、下りリンクの通信品質を維持する必要がある。そこで、移動通信端末が通信しているサービス（ベアラ）に対し目標品質を設け、下りリンクの通信品質が目標品質に追従するように基地局の送信電力を制御するという方法が用いられている。具体的には、ＣＤＭＡ方式を用いた移動通信端末においては、インナーループ制御とアウターループ制御とからなるクローズドループ送信電力制御方法が用いられている。
【０００３】
インナーループ制御は、移動通信端末で受信された通信チャネルのＳＩＲ（Signal-to-Interference power Ratio）がある目標値となるような制御を行うのに対し、アウターループ制御では、通信品質（ＢＥＲ（Bit Error Rate）又はＢＬＥＲ（Block Error Rate））がある目標値となるように目標ＳＩＲを制御する。受信された通信チャネルのＳＩＲと目標ＳＩＲとの比較結果に応じて、移動通信端末から基地局への上りリンクの物理チャネル上で、基地局の送信電力を制御するＴＰＣ（Transmit Power Control）ビットが送信される。
【０００４】
このようなクローズドループ送信電力制御方法については、各種の改良手法が提案されている。具体的には、移動通信端末において、特定のデータを受信し損ねてしまう確率を低減するため、所定のタイミングで目標ＳＩＲを一定量ジャンプアップさせる手法が提案されている（特許文献１参照）。また、高精度な送信電力制御を行うことを目的として、移動通信端末においてＴＰＣビットを変更制御することで、送信電力調整幅を可変とする手法が提案されている（特許文献２参照）。
【特許文献１】特開２００４−１１２０９７号公報
【特許文献２】特開２００６−１７３９３７号公報
【発明の開示】
【発明が解決しようとする課題】
【０００５】
しかしながら、上述した背景技術においては、通信品質を一時的に良好にすることは可能であるが、通信品質を良好に保つことは不可能である。更に、上述した背景技術においては、移動通信網側のリソースとは無関係に目標ＳＩＲ又はＴＰＣビットを変更制御するので、移動通信網側の加入者容量等のリソースに余裕がある場合であっても、その余裕を有効に活用できていなかった。
【０００６】
上記問題点に鑑み、本発明は、移動通信網のリソースを有効活用し、通信品質を良好に保つことが可能な移動通信端末及び移動通信システムを提供することを目的とする。
【課題を解決するための手段】
【０００７】
上記目的を達成するために、本発明の第１の特徴は、移動通信網からの受信信号の品質である第１受信品質を測定するとともに、第１受信品質と、第１受信品質の目標値である第１目標品質との比較の結果に応じて、受信信号の送信電力を制御する送信電力制御コマンドを移動通信網に通知するインナーループ制御部と、第１受信品質よりも長い期間における受信信号の品質である第２受信品質を測定するとともに、第２受信品質と、移動通信網によってあらかじめ指定される目標値である第２目標品質との比較の結果に応じて、第１目標品質を設定するアウターループ制御部と、所定の条件に基づき、第２目標品質の変更を要求する変更要求メッセージを移動通信網に通知し、移動通信網によって第２目標品質の変更を許可された場合に第２目標品質を変更する目標品質変更部とを備えることを要旨とする。
【０００８】
ここで、「第１受信品質」とは、例えばＳＩＲ等を意味し、「第２受信品質」とは、例えばＢＥＲ又はＢＬＥＲ等を意味する。また、電力制御コマンドとは、例えばＴＰＣビットを意味する。
【０００９】
この特徴によれば、目標品質変更部が、所定の条件に基づき、第２目標品質（例えば、目標ＢＬＥＲ）の変更を要求する変更要求メッセージを移動通信網に通知し、移動通信網によって第２目標品質の変更を許可された場合に第２目標品質を変更することによって、移動通信網のリソースを活用し、受信品質を良好に保つことが可能となる。
【００１０】
第２の特徴は、第１の特徴に係る移動通信端末において、受信信号に基づき、自端末の通信環境を検出する通信環境検出部を更に備え、目標品質変更部は、通信環境の劣化を検出した場合に、第２目標品質の変更を移動通信網に要求することを要旨とする。
【００１１】
この特徴によれば、通信環境の劣化を検出した場合に、第２目標品質の変更を移動通信網に要求することによって、自端末の通信環境に応じて通信品質を自動的に改善することができる。
【００１２】
第３の特徴は、第１の特徴に係る移動通信端末において、目標品質変更部は、ユーザ入力に応じて、第２目標品質の変更を移動通信網に要求することを要旨とする。
【００１３】
この特徴によれば、目標品質変更部は、ユーザ入力に応じて、第２目標品質の変更を移動通信網に要求することによって、ユーザの判断で、通信品質を改善することができる。
【００１４】
第４の特徴は、移動通信網及び移動通信端末を有する移動通信システムであって、移動通信端末は、移動通信網からの受信信号の品質である第１受信品質を測定するとともに、第１受信品質と、第１受信品質の目標値である第１目標品質との比較の結果に応じて、受信信号の送信電力を制御する送信電力制御コマンドを移動通信網に通知するインナーループ制御部と、第１受信品質よりも長い期間における受信信号の品質である第２受信品質を測定するとともに、第２受信品質と、移動通信網によってあらかじめ指定される目標値である第２目標品質との比較の結果に応じて、第１目標品質を設定するアウターループ制御部と、所定の条件に基づき、第２目標品質の変更を要求する変更要求メッセージを移動通信網に通知し、移動通信網によって第２目標品質の変更を許可された場合に第２目標品質を変更する目標品質変更部とを備え、移動通信網は、移動通信端末から変更要求メッセージを受信した場合に、所定の基準に基づき、第２目標品質の変更を許可するか否かを判定することを要旨とする。
【００１５】
この特徴によれば、第１の特徴と同様に、移動通信網のリソースを活用し、受信品質を良好に保つことが可能となる。
【００１６】
第５の特徴は、第４の特徴に係る移動通信システムにおいて、移動通信網は、移動通信端末から変更要求メッセージを受信した場合に、移動通信端末の在圏するエリアにおけるトラフィック量に基づき、第２目標品質の変更を許可するか否かを判定することを要旨とする。
【００１７】
この特徴によれば、移動通信網が、移動通信端末から変更要求メッセージを受信した場合に、移動通信端末の在圏するエリアにおけるトラフィック量に基づき、第２目標品質の変更を許可するか否かを判定することによって、移動通信端末に対して第２目標品質の変更を許可するか否かを適切に判定可能となる。
【発明の効果】
【００１８】
本発明によれば、移動通信網のリソースを有効活用し、通信品質を良好に保つことが可能な移動通信端末及び移動通信システムを提供できる。
【発明を実施するための最良の形態】
【００１９】
次に、図面を参照して、本発明の実施形態を説明する。以下の実施形態における図面の記載において、同一又は類似の部分には同一又は類似の符号を付している。
【００２０】
（移動通信システムの全体構成例）
本実施形態に係る移動通信システムは、図１に示すように、移動通信端末１と移動通信網５とを有する。なお、図１においては、Ｗ−ＣＤＭＡ方式の移動通信システムを示している。更に、移動通信網５は、基地局２ａ，２ｂと、基地局制御装置（ＲＮＣ）３と、コアネットワーク４とを有している。
【００２１】
コアネットワーク４は、移動通信システム内において位置制御、呼制御、及びサービス制御を行うためのネットワークであり、例えば、ＡＴＭ交換網、パケット交換網、ルータ網等によって構成される。なお、コアネットワーク４は、他の公衆網（ＰＳＴＮ）等とも接続され、移動通信端末１が固定電話等との間で通信を行うことも可能としている。
【００２２】
基地局制御装置３は、基地局２ａ，２ｂの上位装置として機能し、基地局２ａ，２ｂが使用する無線リソースの管理等を行う。また、基地局制御装置３は、後述する送信電力制御（アウターループ制御）を実行する機能を備えるとともに、ハンドオーバ時において、移動通信端末１からの信号を配下の基地局２ａ，２ｂから受信し、品質が良い方のデータを選択してコアネットワーク４側へ送出するハンドオーバ制御機能も備えている。
【００２３】
基地局２ａ，２ｂは、基地局制御装置３により無線リソースを管理され、移動通信端末１と無線通信を行う。また、基地局２ａ，２ｂは、後述する送信電力制御（インナーループ制御）を実行する機能も備えている。
【００２４】
なお、基地局制御装置３の機能が基地局２ａ，２ｂに組み込まれ、基地局２ａ，２ｂが基地局制御装置３の機能を実行する場合もある。
【００２５】
移動通信端末１は、各基地局２ａ，２ｂの無線エリア内に在圏することで、基地局２ａ，２ｂとの間で無線回線を確立し、コアネットワーク４を介して他の通信装置との間で通信を行う。更に、移動通信端末１は、インナーループ制御機能と、アウターループ制御機能とを具備している。
【００２６】
すなわち、移動通信端末１は、移動通信網５からの受信信号のＳＩＲを測定するとともに、測定されたＳＩＲと目標ＳＩＲとの比較の結果に応じて、ＴＰＣビット（電力制御コマンド）を移動通信網５側に通知する。更に、移動通信端末１は、受信信号のＢＬＥＲを測定するとともに、測定されたＢＬＥＲと目標ＢＬＥＲとの比較の結果に応じて、上記目標ＳＩＲを設定する。
【００２７】
更に、移動通信端末１は、受信信号に基づき、自端末の通信環境を検出するとともに、通信環境の劣化を検出した場合に、上記目標ＢＬＥＲの減少を移動通信網５側に要求する。ここで「通信環境」とは、例えば、下り回線の干渉量、ノイズ量、ＳＩＲ、ＢＬＥＲ、ＢＥＲ、又はＥｃ／Ｎｏ等を意味する。なお、Ｅｃ／Ｎｏとは、希望波１チップ当たりのエネルギー対帯域内受信電力密度比である。このような通信環境を示す値が、あらかじめ設定されている閾値よりも小さくなった場合、通信環境が劣化したと判定される。
【００２８】
（移動通信システムの全体動作例）
次に、移動通信システムの全体動作例を説明する。図２は、本実施形態に係る移動通信システムの動作例を示すシーケンス図である。
【００２９】
ステップＳ１１及びステップＳ１２に示すように、通信開始時に、基地局制御装置３は、移動通信端末１の通信するサービス（ベアラ）に応じた目標ＢＬＥＲを、基地局２ａを介して移動通信端末１に通知する。
【００３０】
ステップＳ１３において、移動通信端末１は、下り回線の干渉量、ノイズ量、ＳＩＲ、ＢＬＥＲ、ＢＥＲ、又はＥｃ／Ｎｏ等によって、通信環境を判定する。ここでは、通信環境を示す値が、あらかじめ設定されている閾値よりも小さいものとする。このため、移動通信端末１は、自端末の通信環境が劣化したと判定する。
【００３１】
ステップＳ１４及びステップＳ１５において、移動通信端末１は、目標ＢＬＥＲの変更を要求する変更要求メッセージを、基地局２ａを介して基地局制御装置３に通知する。「目標ＢＬＥＲの変更」とは、例えば、ステップＳ１１及びステップＳ１２で通知された目標ＢＬＥＲが５％であった場合、それよりも低い値（４％，３％，又は２％等）に変更することを意味する。
【００３２】
ステップＳ１６において、基地局制御装置３は、所定の基準に基づき、目標ＢＬＥＲの変更を許可するか否かを判定する。ここで、「所定の基準」とは、例えば、移動通信端末１の在圏するエリアにおけるトラフィック量を意味する。つまり、移動通信端末１の在圏するエリアにおけるトラフィック量がある閾値よりも大きい場合には、移動通信端末１に対する送信電力を増加させることができないため、基地局制御装置３は目標ＢＬＥＲの変更を拒否する。一方、移動通信端末１の在圏するエリアにおけるトラフィック量がある閾値よりも小さい場合には、移動通信端末１に対する送信電力を増加させることができるので、基地局制御装置３は目標ＢＬＥＲの変更を許可する。
【００３３】
ステップＳ１７及びＳ１８において、基地局制御装置３は、ステップＳ１６の判定結果に応じて、目標ＢＬＥＲの変更を許可するか否かを示すメッセージを、基地局２ａを介して移動通信端末１に通知する。ここでは、基地局制御装置３が、目標ＢＬＥＲの変更を許可することを示すメッセージを、基地局２ａを介して移動通信端末１に通知するものとする。
【００３４】
ステップＳ１９において、移動通信端末１は、ステップＳ１８で通知されたメッセージに基づき、目標ＢＬＥＲを変更するか否か判定する。ステップＳ１８では、目標ＢＬＥＲの変更を許可することを示すメッセージを受信しているので、移動通信端末１は、目標ＢＬＥＲを変更する。
【００３５】
ステップＳ２０において、移動通信端末１は、変更後の目標ＢＬＥＲを用いて、アウターループ制御及びインナーループ制御を実行し、ＴＰＣビットを基地局２ａに送信する。
【００３６】
ステップＳ２２において、基地局２ａは、ステップＳ２０で受信したＴＰＣビットに応じて、移動通信端末１に対する個別チャネルの送信電力を変更する。
【００３７】
（移動通信端末の構成例）
次に、移動通信端末１の構成例について説明する。図３は、移動通信端末１の機能ブロック図である。
【００３８】
移動通信端末１は、アンテナ１００と、無線通信部１０と、逆拡散部１１と、ＲＡＫＥ受信部１２と、インナーループ制御部１３と、アウターループ制御部１４と、送信信号生成部１５と、信号処理部１６と、目標ＢＬＥＲ変更部１７と、制御部１８と、通信環境検出部２３と、スピーカ１９と、マイクロホン２０と、入力部２１と、表示部２２とを備える。
【００３９】
アンテナ１００が受信した受信信号は、無線通信部１０に入力され、ダウンコンバートされる。逆拡散部１１は、ダウンコンバートされた受信信号に対して、移動通信網５側から割り当てられたスクランブリングコードやチャネライゼーションコードによって逆拡散処理を実行する。ＲＡＫＥ受信部１２は、逆拡散処理後の受信信号をＲＡＫＥ合成及び誤り訂正・復号化する。ＲＡＫＥ受信部１２が出力するデータ系列は、信号処理部１６、アウターループ制御部１４、及びインナーループ制御部１３に入力される。
【００４０】
アウターループ制御部１４は、長区間品質測定部１４１と、目標ＢＬＥＲ設定部１４３と、ＢＬＥＲ比較判定部１４２と、目標ＳＩＲ設定部とを備える。また、インナーループ制御部１３は、ＳＩＲ測定部１３１と、ＳＩＲ比較判定部１３２と、ＴＰＣビット発生部１３３とを備える。
【００４１】
長区間品質測定部１４１は、ＲＡＫＥ受信部１２が出力するデータ系列において、例えばＣＲＣ結果が一致したトランスポートブロックの個数によりＢＬＥＲを数百ｍｓから数ｓ程度の長区間で測定する。長区間品質測定部１４１は、この測定により得られたＢＬＥＲをＢＬＥＲ比較判定部１４２へ通知する。
【００４２】
目標ＳＩＲ設定部は、目標ＢＬＥＲをＢＬＥＲ比較判定部１４２へ設定する。ＢＬＥＲ比較判定部１４２は、上記測定されたＢＬＥＲと上記設定された目標ＢＬＥＲ値との差に比例した値として目標ＳＩＲの補正値を求める。目標ＳＩＲ設定部では、目標ＳＩＲ値をＳＩＲ比較判定部１３２へ通知する。
【００４３】
これにより目標ＳＩＲは、上記測定されたＢＬＥＲが目標ＢＬＥＲ値より大きい場合、すなわち受信品質が悪い場合には増加し、測定ＢＬＥＲ値が目標ＢＬＥＲ値より小さい場合、すなわち受信品質が良い場合には減少する。
【００４４】
ＳＩＲ測定部１３１は、ＲＡＫＥ受信部１２から入力される信号電力値と干渉電力値とに基づいてＳＩＲを測定する。
【００４５】
ＳＩＲ比較判定部１３２は、ＳＩＲ測定部１３１が測定したＳＩＲと、目標ＳＩＲ設定部が設定した目標ＳＩＲとを比較し、上記測定されたＳＩＲ値が目標ＳＩＲ値以上であるか否かを判定する。ＳＩＲ比較判定部１３２は、判定の結果をＴＰＣビット発生部１３３へ通知する。
【００４６】
ＴＰＣビット発生部１３３は、ＳＩＲ比較判定部１３２での判定結果に基づき、上記測定されたＳＩＲが目標ＳＩＲに達していない場合には、送信電力を増加させるＴＰＣビットを発生し、上記測定されたＳＩＲが目標ＳＩＲ値以上である場合には、送信電力を減少させるＴＰＣビットを発生する。
【００４７】
一方、ＲＡＫＥ受信部１２からのデータ系列は、信号処理部１６に入力され、直交復調や、復号処理、誤り訂正復号等を行った後、制御部１８に受信データとして供給する。この結果、制御部１８は、音声信号をスピーカ１９に供給したり、画像信号を表示部２２に供給したりする。
【００４８】
更に、マイクロホン２０に入力される音声信号は、制御部１８によって、デジタル信号に変換され、信号処理部１６に供給される。信号処理部１６は、制御部１８からのデータに対して圧縮処理や、誤り訂正符号化処理等を施し、送信信号生成部１５に供給する。
【００４９】
送信信号生成部１５は、各種伝送チャネルの送信データを多重化する。多重化された送信データは、無線通信部１０に供給され、変調処理や、スペクトラム拡散処理が施された後、アップコンバートされて、アンテナ１００より送出される。
【００５０】
なお、入力部２１ には、各種のキーを含むキー群が設けられている。入力部２１は、これらのキーの押下による使用者指示を入力する。表示部２２としては、ＬＣＤ等が使用される。
【００５１】
また、制御部１８は、移動通信端末の全体を制御するとともに、上述した通信環境に関する情報を取得して、通信環境検出部２３に通知する。通信環境検出部２３は、制御部１８から通知された情報に基づき、上述した通信環境を検出する。
【００５２】
（目標ＢＬＥＲ変更要求処理）
次に、移動通信端末１による目標ＢＬＥＲ変更要求処理の具体的な処理手順について説明する。図４は、目標ＢＬＥＲ変更要求処理の具体的な処理手順を示すフローチャートである。
【００５３】
ステップＳ１０１において、通信環境検出部２３は、下り回線の干渉量、ノイズ量、ＳＩＲ、ＢＬＥＲ、ＢＥＲ、又はＥｃ／Ｎｏ等によって自端末の通信環境を判定する。
【００５４】
ステップＳ１０２において、通信環境検出部２３は、通信環境を示す値を、あらかじめ設定されている閾値と比較することで、通信環境が劣化したか否かを判定する。通信環境が劣化したと判定された場合、ステップＳ１０３に移行する。
【００５５】
ステップＳ１０３において、目標ＢＬＥＲ変更部１７は、目標ＢＬＥＲの変更を要求する変更要求メッセージを、送信信号生成部１５、無線通信部１０、及びアンテナ１００を介して、移動通信網５側へ送信する。
【００５６】
（目標ＢＬＥＲ変更処理）
次に、移動通信端末１による目標ＢＬＥＲ変更処理の具体的な処理手順について説明する。図５は、目標ＢＬＥＲ変更処理の具体的な処理手順を示すフローチャートである。
【００５７】
ステップＳ２０１において、目標ＢＬＥＲ変更部１７は、アンテナ１００、逆拡散部１１、ＲＡＫＥ受信部１２、信号処理部１６、及び制御部１８を介して、目標ＢＬＥＲの変更可否を示すメッセージを移動通信網５側から受信する。
【００５８】
ステップＳ２０２において、目標ＢＬＥＲ変更部１７は、ステップＳ２０１で受信したメッセージが、目標ＢＬＥＲの変更許可を示しているか否かを判定する。ステップＳ２０１で受信したメッセージが、目標ＢＬＥＲの変更許可を示していると判定された場合、ステップＳ２０３に移行する。一方、ステップＳ２０１で受信したメッセージが、目標ＢＬＥＲの変更拒否を示していると判定された場合、ステップＳ２０４に移行する。
【００５９】
ステップＳ２０３において、目標ＢＬＥＲ変更部１７は、目標ＢＬＥＲを変更する。ここで、目標ＢＬＥＲの変更方法としては、例えば以下の２つが使用できる。１）あらかじめ用意された目標ＢＬＥＲの選択肢から、いずれかを選択する。２）目標ＢＬＥＲを連続的に変化させる。なお、後述するように、目標ＢＬＥＲをユーザが指定可能としても良い。
【００６０】
一方、ステップＳ２０４においては、目標ＢＬＥＲ変更部１７は、目標ＢＬＥＲの値を変更せずに、以前の値を維持する。
【００６１】
（基地局制御装置の構成例）
次に、基地局制御装置３の構成例について説明する。図６は、基地局制御装置３の機能ブロック図である。
【００６２】
基地局制御装置３は、第１通信Ｉ／Ｆ３１と、第２通信Ｉ／Ｆ３２と、基地局制御部３３と、トラフィック量検出部３４と、目標ＢＬＥＲ制御部３５と、目標ＢＬＥＲ記憶部３６とを備える。
【００６３】
第１通信Ｉ／Ｆ３１は、図１の基地局２ａ，２ｂと各種のデータを授受する。第２通信Ｉ／Ｆ３２は、コアネットワーク４と各種のデータを授受する。
【００６４】
基地局制御部３３は、基地局２ａ，２ｂの無線回線制御やリソース制御等を行い、移動通信端末１の無線回線制御やリソース制御、ベアラ制御等を行う。トラフィック量検出部３４は、移動通信端末１の在圏するエリアにおけるトラフィック量を検出する。
【００６５】
目標ＢＬＥＲ記憶部３６は、図７に示すように、目標ＢＬＥＲをベアラ毎に保持する。目標ＢＬＥＲ制御部３５は、移動通信端末１からの目標ＢＬＥＲ変更要求を受け付け、トラフィック量検出部３４が検出したトラフィック量に応じて、目標ＢＬＥＲ変更要求を許可するか否かを判定する。
【００６６】
（目標ＢＬＥＲ変更判定処理）
次に、基地局制御装置３による目標ＢＬＥＲ変更判定処理の具体的な処理手順について説明する。図８は、目標ＢＬＥＲ変更判定処理の具体的な処理手順を示すフローチャートである。
【００６７】
ステップＳ３０１において、目標ＢＬＥＲ制御部３５は、第１通信Ｉ／Ｆ３１を介して、移動通信端末１からの目標ＢＬＥＲ変更要求を受信する。
【００６８】
ステップＳ３０２において、目標ＢＬＥＲ制御部３５は、トラフィック量検出部３４が検出するトラフィック量に応じて、目標ＢＬＥＲ変更要求を許可するか否かを判定する。目標ＢＬＥＲ変更要求を許可すると判定された場合、ステップＳ３０３に移行する。一方、目標ＢＬＥＲ変更要求を拒否すると判定された場合、ステップＳ３０４に移行する。
【００６９】
ステップＳ３０３において、目標ＢＬＥＲ制御部３５は、目標ＢＬＥＲの変更を許可する旨のメッセージを、第１通信Ｉ／Ｆ３１を介して、移動通信端末１に通知する。
【００７０】
ステップＳ３０４においては、目標ＢＬＥＲ制御部３５は、目標ＢＬＥＲの変更を拒否する旨のメッセージを、第１通信Ｉ／Ｆ３１を介して、移動通信端末１に通知する。
【００７１】
（作用・効果）
以上詳細に説明したように、本実施形態によれば、移動通信端末１が、目標ＢＬＥＲの変更を要求する変更要求メッセージを移動通信網５側に通知し、移動通信網５によって目標ＢＬＥＲの変更を許可された場合に、目標ＢＬＥＲを変更することによって、移動通信網５側のリソースを有効活用し、通信品質を良好に保つことが可能となる。
【００７２】
また、本実施形態によれば、移動通信端末１が、通信環境の劣化を検出した場合に、目標ＢＬＥＲの変更を移動通信網５側に自動的に要求することによって、自端末の通信環境に応じて通信品質を自動的に改善することができる。
【００７３】
更に、本実施形態によれば、移動通信網５が、移動通信端末１から変更要求メッセージを受信した場合に、移動通信端末１の在圏するエリアにおけるトラフィック量に基づき、目標ＢＬＥＲの変更を許可するか否かを判定することによって、移動通信端末１に対して目標ＢＬＥＲの変更を許可するか否かを適切に判定可能となる。
【００７４】
（その他の実施形態）
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【００７５】
例えば、上述した実施形態においては、目標ＢＬＥＲの変更要求を自動的に行う構成について説明したが、目標ＢＬＥＲの変更要求を手動で行う構成としてもよい。以下に、目標ＢＬＥＲの変更要求を手動で行う場合について説明する。
【００７６】
図９は、目標ＢＬＥＲの変更要求を手動で行う場合の処理手順を示すフローチャートである。
【００７７】
ステップＳ４０１において、図３に示す制御部１８は、入力部２１が受け付けたユーザ入力に応じて、図１０に示すような通信品質調整画面を表示部２２上に表示させる。図１０の例において、通信品質「高」は、目標ＢＬＥＲを１％程度に変更するものであり、通信品質「中」は、例えば目標ＢＬＥＲを２．５％程度に変更するものであり、通信品質「低」は、例えば目標ＢＬＥＲを４％程度に変更するものである。
【００７８】
ステップＳ４０２において、入力部２１は、通信品質を選択するユーザ入力を受け付ける。
【００７９】
ステップＳ４０３において、目標ＢＬＥＲ変更部１７は、ステップＳ４０２で選択された通信品質に応じて、変更要求メッセージを移動通信網５側に通知する。
【００８０】
このような実施形態によれば、目標ＢＬＥＲ変更部１７が、ユーザ入力に応じて、目標ＢＬＥＲの変更を移動通信網５側に要求することによって、ユーザの判断で、通信品質を改善することができる。
【００８１】
このように本発明は、ここでは記載していない様々な実施形態等を包含するということを理解すべきである。したがって、本発明はこの開示から妥当な特許請求の範囲の発明特定事項によってのみ限定されるものである。
【図面の簡単な説明】
【００８２】
【図１】本発明の実施形態に係る移動通信システムの全体構成例を示す図である。
【図２】本発明の実施形態に係る移動通信システム全体の動作概要を示すシーケンス図である。
【図３】本発明の実施形態に係る移動通信端末の構成例を示す機能ブロック図である。
【図４】本発明の実施形態に係る移動通信端末における目標ＢＬＥＲ変更要求処理の処理手順例を示すフローチャートである。
【図５】本発明の実施形態に係る移動通信端末における目標ＢＬＥＲ変更処理の処理手順例を示すフローチャートである。
【図６】本発明の実施形態に係る基地局制御装置の構成例を示す機能ブロック図である。
【図７】本発明の実施形態に係る基地局制御装置がベアラ毎に記憶する目標ＢＬＥＲのテーブル構成例を示す図である。
【図８】本発明の実施形態に係る基地局制御装置における目標ＢＬＥＲ変更判定処理の処理手順例を示すフローチャートである。
【図９】その他の実施形態に係る移動通信端末における目標ＢＬＥＲ変更要求処理の処理手順例を示すフローチャートである。
【図１０】その他の実施形態に係る移動通信端末における通信品質調整画面例を示す模式図である。
【符号の説明】
【００８３】
１…移動通信端末
２ａ，２ｂ…基地局
３…基地局制御装置
４…コアネットワーク
５…移動通信網
１０…無線通信部
１１…逆拡散部
１２…ＲＡＫＥ受信部
１３…インナーループ制御部
１４…アウターループ制御部
１５…送信信号生成部
１６…信号処理部
１７…目標ＢＬＥＲ変更部
１８…制御部
１９…スピーカ
２０…マイクロホン
２１…入力部
２２…表示部
２３…通信環境検出部
３１…第１通信Ｉ／Ｆ
３２…第２通信Ｉ／Ｆ
３３…基地局制御部
３４…トラフィック量検出部
３５…目標ＢＬＥＲ制御部
３６…目標ＢＬＥＲ記憶部
１００…アンテナ
１３１…ＳＩＲ測定部
１３２…ＳＩＲ比較判定部
１３３…ＴＰＣビット発生部
１４１…長区間品質測定部
１４２…ＢＬＥＲ比較判定部
１４３…目標ＢＬＥＲ設定部
【図１】
2008048175.tif 000003
【図２】
2008048175.tif 000004
【図３】
2008048175.tif 000005
【図４】
2008048175.tif 000006
【図５】
2008048175.tif 000007
【図６】
2008048175.tif 000008
【図７】
2008048175.tif 000009
【図８】
2008048175.tif 000010
【図９】
2008048175.tif 000011
【図１０】
2008048175.tif 000012